(57)【要約】【課題】映像信号が入力されていない入力端子を選択した場合に表示される確認画像を通じて入力端子（選択入力端子）へ映像信号が入力されていないことを容易に認識可能な画像表示装置を提供すること。【解決手段】このプロジェクター１０は、ユーザーが選択した映像入力端子（選択入力端子）へ映像信号が入力されていない場合に、選択入力端子へのケーブルの接続を確認するメッセージとともに、外部機器接続部７０における選択入力端子近傍の画像および選択入力端子へ接続されるべきケーブルの端子形状を示す画像を含む確認画像が表示される。したがって、ユーザーは、確認画像から選択入力端子へ映像信号が入力されていない原因が当該選択入力端子へケーブルが正しく接続されていないことによるものかどうかを容易に確認することができる。【選択図】図４
2011128257.tif 000002
【特許請求の範囲】
【請求項１】
映像信号の入力端子を複数備える画像表示装置であって、
複数の前記入力端子から選択された前記入力端子に入力される前記映像信号に応じた画像を表示する表示部と、
前記入力端子に前記映像信号が入力されているか否かを検出する映像信号検出部と、
選択された前記入力端子に前記映像信号が入力されていないことが検出された場合に、当該入力端子へ前記映像信号が入力されていないことを示す確認画像を前記表示部に表示させる確認画像出力部と、
を備えることを特徴とする画像表示装置。
【請求項２】
前記確認画像出力部は、選択された前記入力端子の形状を示す前記確認画像を前記表示部に表示させることを特徴とする請求項１に記載の画像表示装置。
【請求項３】
前記確認画像出力部は、選択された前記入力端子を他の前記入力端子に対して強調表示した前記確認画像を前記表示部に表示させることを特徴とする請求項１または２に記載の画像表示装置。
【請求項４】
前記確認画像出力部は、選択された前記入力端子に接続されるべきケーブルの端子形状を示す前記確認画像を前記表示部に表示させることを特徴とする請求項１から３のいずれか１項に記載の画像表示装置。
【請求項５】
前記確認画像出力部は、前記確認画像を記憶する確認画像記憶部を含むことを特徴とする請求項１から４のいずれか１項に記載の画像表示装置。
【請求項６】
前記映像信号検出部は、複数の前記入力端子から前記映像信号が入力されている前記入力端子を検索する検索操作に応じてそれぞれの前記入力端子に前記映像信号が入力されているか否かを検出し、
前記確認画像出力部は、いずれの前記入力端子にも前記映像信号が入力されていないことが検出された場合に、前記確認画像を前記表示部に表示させることを特徴とする請求項１から５のいずれか１項に記載の画像表示装置。
【請求項７】
前記映像信号検出部は、現在選択されている前記入力端子を他の前記入力端子へと切り替える切替操作に応じて他の前記入力端子に前記映像信号が入力されているか否かを検出し、
前記確認画像出力部は、他の前記入力端子に前記映像信号が入力されていないことが検出された場合に、前記確認画像を前記表示部に表示させることを特徴とする請求項１から５のいずれか１項に記載の画像表示装置。
【請求項８】
映像信号が入力される複数の入力端子と、複数の前記入力端子から選択された前記入力端子に入力される前記映像信号に応じた画像を表示する表示部とを備える画像表示装置の制御方法であって、
複数の前記入力端子から選択された前記入力端子に入力される前記映像信号に応じた画像を前記表示部に表示する表示段階と、
前記入力端子に前記映像信号が入力されているか否かを検出する映像信号検出段階と、
選択された前記入力端子に前記映像信号が入力されていないことが検出された場合に、当該入力端子へ前記映像信号が入力されていないことを示す確認画像を前記表示部に表示させる確認画像出力段階と、
を備えることを特徴とする画像表示装置の制御方法。
【発明の詳細な説明】
【技術分野】
【０００１】
本発明は、映像信号が入力される入力端子を複数備える画像表示装置およびその制御方法に関する。
【背景技術】
【０００２】
例えばテレビやプロジェクターなどに代表される画像表示装置は、一般的に複数の外部入力端子を備えていることが多く、ユーザーがリモコン操作などで特定の外部入力端子を選択することにより、当該外部入力端子から入力される映像信号に応じた画像を表示することができる。
【０００３】
また、特許文献１に記載のように、タッチパネル操作画面に複数の外部入力端子のそれぞれに対応する画像を表示させて、ユーザーがタッチパネル操作で選択した外部入力端子からの映像信号に応じた画像を投影させるプロジェクターが知られている。
【先行技術文献】
【特許文献】
【０００４】
【特許文献１】特開２００３−３２３１６８号公報
【発明の概要】
【発明が解決しようとする課題】
【０００５】
しかしながら、例えば外部入力端子の種類を表示画像中の上部などに表示させる方法では、選択した外部入力端子に映像信号が入力されていない場合には、外部入力端子の種類とともに単色ベタ画像が表示されるだけであり、ユーザーは画像表示装置自体の故障なのか、選択した外部入力端子にケーブルが接続されていないなどの原因により当該外部入力端子に映像信号が入力されていないのかが判断できなかった。
【課題を解決するための手段】
【０００６】
上記課題を解決することを目的として、本発明は、一の形態として、映像信号の入力端子を複数備える画像表示装置であって、複数の前記入力端子のうち、ユーザーにより選択された選択入力端子に入力される前記映像信号に応じた画像を表示する表示部と、前記選択入力端子に前記映像信号が入力されているか否かを検出する映像信号検出部と、前記映像信号検出部において前記選択入力端子に前記映像信号が入力されていないことが検出された場合に、前記選択入力端子へ前記映像信号が入力されていないことを示す確認画像を前記表示部に表示させる確認画像出力部と、を備えることを特徴とする画像表示装置を提供する。
【０００７】
このような画像表示装置によれば、映像信号が入力されていない入力端子を選択した場合に表示される確認画像を通じて当該入力端子（選択入力端子）へ映像信号が入力されていないことを認識することができる。
【０００８】
また、上記画像表示装置において、前記確認画像出力部は、前記選択入力端子の形状を示す前記確認画像を前記表示部に表示させることが好ましい。
【０００９】
これにより、ユーザーが選択入力端子に伝送ケーブルが接続されているかを確認するために複数の入力端子の中から選択入力端子を探す際に、確認画像に表示された選択入力端子の形状を見ながら探すことができるので、他の入力端子と間違いにくい。
【００１０】
また、上記画像表示装置において、前記確認画像出力部は、他の前記入力端子に対して前記選択入力端子を強調表示した前記確認画像を前記表示部に表示させることが好ましい。
【００１１】
これにより、ユーザーが複数の入力端子の中から選択入力端子を探す際に、他の入力端子と間違えずに選択入力端子を探すことができる。
【００１２】
また、上記画像表示装置において、前記確認画像出力部は、前記選択入力端子に接続されるべきケーブルの端子形状を示す前記確認画像を前記表示部に表示させることが好ましい。
【００１３】
これにより、ユーザーは、選択入力端子に対して正しい端子形状のケーブルが接続されているかを容易に確認することができる。
【００１４】
また、上記画像表示装置において、前記確認画像出力部は、前記確認画像を記憶する確認画像記憶部を含むことが好ましい。
【００１５】
また、上記画像表示装置において、前記映像信号検出部は、複数の前記入力端子から前記映像信号が入力されている前記入力端子を検索する検索操作に応じてそれぞれの前記入力端子に前記映像信号が入力されているか否かを検出し、前記確認画像出力部は、いずれの前記入力端子にも前記映像信号が入力されていないことが検出された場合に、前記確認画像を前記表示部に表示させることが好ましい。
【００１６】
また、上記画像表示装置において、前記映像信号検出部は、現在選択されている前記入力端子を他の前記入力端子へと切り替える切替操作に応じて他の前記入力端子に前記映像信号が入力されているか否かを検出し、前記確認画像出力部は、他の前記入力端子に前記映像信号が入力されていないことが検出された場合に、前記確認画像を前記表示部に表示させることが好ましい。
【００１７】
本発明は、他の形態として、映像信号が入力される複数の入力端子と、複数の前記入力端子から選択された前記入力端子に入力される前記映像信号に応じた画像を表示する表示部とを備える画像表示装置の制御方法であって、複数の前記入力端子から選択された前記入力端子に入力される前記映像信号に応じた画像を前記表示部に表示する表示段階と、前記入力端子に前記映像信号が入力されているか否かを検出する映像信号検出段階と、選択された前記入力端子に前記映像信号が入力されていないことが検出された場合に、当該入力端子へ前記映像信号が入力されていないことを示す確認画像を前記表示部に表示させる確認画像出力段階と、を備えることを特徴とする画像表示装置の制御方法を提供する。
【図面の簡単な説明】
【００１８】
【図１】本発明の実施形態に係るプロジェクター１０の斜視図である。
【図２】プロジェクター１０の背面図である。
【図３】リモートコントローラー１５０の操作面を示す平面図である。
【図４】プロジェクター１０の内部構成を示す機能ブロック図である。
【図５】プロジェクター１０における入力端子の選択動作に関する動作フローの一例を示す。
【図６】確認画像の一例を示す。
【発明を実施するための形態】
【００１９】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２０】
図１は、本発明の実施形態に係るプロジェクター１０の斜視図である。本実施形態のプロジェクター１０は、図１に示すように、外部筐体の前面中央に投射レンズ８５が配され、また、当該前面の上端部には、プロジェクター１０の動作状態を示す状態インジケーター９０が設けられている。また、外部筐体の前面の下部には、後述のリモートコントローラー１５０からの信号を受信する受信部５５が設けられている。なお、このプロジェクター１０は、本発明の画像表示装置の一例である。
【００２１】
図２は、プロジェクター１０の背面図である。プロジェクター１０の背面には、図２に示すように、プロジェクター１０で投射している投射映像の音声が出力されるスピーカー３５、プロジェクター１０を操作するための操作ボタンが配された操作パネル５０、および、各種の外部機器と接続するための複数の端子からなる外部機器接続部７０などが設けられている。
【００２２】
本例において、外部機器接続部７０は、モニター出力端子７０Ａ、音声出力端子７０Ｂ、コンピューター２入力端子７０Ｃ、音声入力端子７０Ｄ、ＨＤＭI入力端子７０Ｅ、ＬＡＮ端子７０Ｆ、ＵＳＢ端子７０Ｇ，７０Ｈ、Ｓ−ビデオ入力端子７０Ｉ、ビデオ２入力端子７０Ｊ、音声入力端子７０Ｋ、ＲＳ−２３２Ｃ端子７０Ｌ、コンピューター１入力端子７０Ｍ、ビデオ１入力端子７０Ｎ、ＢＮＣ入力端子７０Ｐを含む。これらの各端子の機能は例えば以下のとおりである。
【００２３】
モニター出力端子７０Ａは、モニターと接続するための端子であり、後述するユーザーによる入力端子の切替操作により、コンピューター２入力端子７０Ｃ、コンピューター１入力端子７０Ｍ、およびＢＮＣ入力端子７０Ｐのいずれかの映像入力端子が選択された場合に、当該入力端子から入力している映像信号を出力する。音声出力端子７０Ｂは、スピーカーと接続するための端子であり、選択された上記映像入力端子に対応する音声入力端子から入力する音声信号を出力する。
【００２４】
コンピューター１入力端子７０Ｍおよびコンピューター２入力端子７０Ｃは、いずれもコンピューターと接続するための端子であり、接続されるコンピューターから映像信号が入力される。音声入力端子７０Ｄは、コンピューター２入力端子７０Ｃ、コンピューター１入力端子７０Ｍ、およびＢＮＣ入力端子７０Ｐのいずれかの入力端子に接続する機器の音声出力端子に接続され、当該機器から出力される音声信号が入力される。
【００２５】
ＨＤＭI入力端子７０Ｅは、ＨＤＭI（Ｈｉｇｈ−Ｄｅｆｉｎｉｔｉｏｎ Ｍｕｌｔｉｍｅｄｉａ Ｉｎｔｅｒｆａｃｅ）規格に対応したＡＶ機器やコンピューターと接続するための端子であり、これらの機器からＨＤＭI信号が入力される。ＬＡＮ端子７０Ｆは、ローカルエリアネットワークに接続するための端子である。ＵＳＢ端子７０Ｇは、ＵＳＢケーブルを介してコンピューターと接続するための端子であり、当該コンピューターからの映像信号が入力される。ＵＳＢ端子７０Ｈは、デジタルカメラやストレージなどと接続するための端子であり、これらの機器からの映像信号が入力される。
【００２６】
ビデオ１入力端子７０Ｎ、ビデオ２入力端子７０Ｊ、およびＳ−ビデオ入力端子７０Ｉは、ビデオ機器と接続するための端子であり、ビデオ１入力端子７０Ｎおよびビデオ２入力端子７０には当該ビデオ機器から出力されるコンポジットビデオ信号が入力され、Ｓ−ビデオ入力端子７０Ｉには当該ビデオ機器から出力されるＳ−ビデオ映像信号が入力される。音声入力端子７０Ｋは、ビデオ１入力端子７０Ｎ、ビデオ２入力端子７０Ｊ、およびＳ−ビデオ入力端子７０Ｉのいずれかの入力端子に接続する機器の音声出力端子に接続され、当該機器から出力される音声信号が入力される。
【００２７】
ＲＳ−２３２Ｃ端子７０Ｌは、プロジェクター１０を制御するコンピューターと接続するための端子であり、当該コンピューターから制御信号が入力される。ＢＮＣ入力端子７０Ｐは、コンピューターやビデオ機器と接続するための端子であり、当該コンピューターおよびビデオ機器からのコンポーネントビデオ信号が入力される。
【００２８】
操作パネル５０は、プロジェクター１０の電源をＯＮまたはＯＦＦする際に押下される電源ボタン５１、環境設定メニューの表示／終了を行う際に押下されるメニューボタン５２、投射画像に表示されたメニュー画面等から入力項目の選択を行う際に押下される選択操作ボタン５３、映像信号が入力されている入力端子を検索する検索操作の際に押下される入力検出ボタン５４などが配されている。
【００２９】
なお、本例では、ユーザーにより入力検出ボタン５４が押下された（検索操作がなされた）場合、コンピューター１入力端子７０Ｍ  →  コンピューター２入力端子７０Ｃ  →  ＢＮＣ入力端子７０Ｐ  →  Ｓ−ビデオ入力端子７０Ｉ  →  ビデオ１入力端子７０Ｎ  →  ビデオ２入力端子７０Ｊ  →  ＨＤＭI入力端子７０Ｅの順に映像信号の入力の有無が検出される。映像信号の入力の有無の検出は、例えば入力に映像信号の同期信号が含まれているか否かにより判定してもよい。そして、映像信号が入力されている映像入力端子が検出された場合、当該映像入力端子から入力される映像信号に応じた映像がスクリーン（ＳＣ）、白壁、あるいはホワイトボード等の被投射体に投射される。
【００３０】
図３は、リモートコントローラー１５０の操作面を示す平面図である。リモートコントローラー１５０は、ハウジング１５８の上面に、電源をＯＮまたはＯＦＦする際に押下される電源ボタン１５１、環境設定メニューの表示／終了を行う際に押下されるメニューボタン１５２、投射画像に表示されたメニュー画面等から入力項目の選択を行う際に押下される選択操作ボタン１５３、映像信号が入力されている入力端子を検索する検索操作の際に押下される入力検出ボタン１５４、ユーザーが現在選択されている入力端子を他の入力端子に切り替える切替操作の際に押下される入力選択ボタン１５５などが配されている。また、リモートコントローラー１５０の前面には、ユーザーによるボタン操作に応じてプロジェクター１０を操作するための操作信号を出力する送信部１５７が設けられている。なお、本例では、電源ボタン１５１、メニューボタン１５２、選択操作ボタン１５３、および入力検出ボタン１５４については、操作パネル５０の電源ボタン５１、メニューボタン５２、選択操作ボタン５３、および入力検出ボタン５４に対応し、同じ機能を有する。
【００３１】
また、入力選択ボタン１５５は、コンピューター１入力端子７０Ｍまたはコンピューター２入力端子７０Ｃからの映像信号の入力を選択する際に押下されるコンピューター１／２入力選択ボタン１５５Ａ、ＢＮＣ入力端子７０Ｐからの映像信号の入力を選択する際に押下されるＢＮＣ入力選択ボタン１５５Ｂ、ＨＤＭI入力端子７０Ｅからの映像信号の入力を選択する際に押下されるＨＤＭI入力選択ボタン１５５Ｃ、ビデオ１入力端子７０Ｎまたはビデオ２入力端子７０Ｊからの映像信号の入力を選択する際に押下されるビデオ１／２入力選択ボタン１５５Ｄ、Ｓ−ビデオ入力端子７０Ｉからの映像信号の入力を選択する際に押下されるＳ−ビデオ入力選択ボタン１５５Ｅの５つのボタンを備える。ユーザーは、これら５つの入力選択ボタン１５５から現在選択されている入力端子と異なる入力端子に対応する入力選択ボタン１５５を押下することで、プロジェクター１０による投射映像のソースとなる映像信号の入力端子を切り替える切替操作を行うことができる。
【００３２】
次に、プロジェクター１０の内部構成について説明する。
図４は、プロジェクター１０の内部構成を示す機能ブロック図である。プロジェクター１０は、制御部２０と、入力信号処理部３２と、フレームメモリー３３と、音声処理部３４と、スピーカー３５と、ＯＳＤ（On Screen Display）処理部３６と、確認画像出力部３７と、映像処理部３８と、操作信号処理部４３と、操作パネル５０と、受信部５５と、映像信号検出部６２と、入力端子切替部６３と、外部機器接続部７０と、ランプ駆動部８０と、ランプ８１と、液晶ライトバルブ８２と、投射光学系８３と、液晶ライトバルブ駆動部８４と、状態インジケーター９０と、を備える。
【００３３】
制御部２０は、ランプ駆動部８０、入力信号処理部３２、ＯＳＤ処理部３６、操作信号処理部４３、映像信号検出部６２、および入力端子切替部６３と接続されている。この制御部２０は、種々の演算処理を実行可能なマイクロプロセッサ、およびデータの書き込みおよび書き換えが可能な不揮発性の記憶部などを備える。不揮発性の記憶部には、プロジェクター１０の各種動作を制御するための制御プログラム、画質調整等を行う際のメニュー画面、映像信号が入力されている映像入力端子を検出する際の入力端子検出画面、台形歪補正量の表示画面などのＯＳＤ画像を生成するためのＯＳＤ情報を記憶するとともに、プロジェクター１０の各種設定値等が記憶されている。
【００３４】
制御部２０は、マイクロプロセッサによって不揮発性の記憶部に記憶された制御プログラム等を実行してプロジェクター１０の各部の動作を統括制御するとともに、制御部２０に接続された各部から入力される各種データを演算して、その演算結果を各部に出力する。
【００３５】
外部機器接続部７０は、上記のように、外部機器から映像信号や音声信号などが入力される入力端子、および外部機器へ映像信号や音声信号を出力する出力端子を含む。映像信号検出部６２は、外部機器接続部７０の各端子のうち、コンピューター１入力端子７０Ｍ、コンピューター２入力端子７０Ｃ、ＢＮＣ入力端子７０Ｐ、Ｓ−ビデオ入力端子７０Ｉ、ビデオ１入力端子７０Ｎ、ビデオ２入力端子７０Ｊ、およびＨＤＭI入力端子７０Ｅの各入力端子について、映像信号が入力されているか否かを検出する。
【００３６】
より具体的には、映像信号検出部６２は、例えばプロジェクター１０の起動時に、デフォルト設定により、または以前の起動時に選択されている入力端子（以下において、「選択入力端子」と称する）について、映像信号の入力の有無を検出する。映像信号の入力の有無の検出は、例えば入力に映像信号の同期信号が含まれているか否かにより判定してもよい。
【００３７】
また、操作パネル５０の入力検出ボタン５４またはリモートコントローラー１５０の入力検出ボタン１５４をユーザーが押下した場合、すなわち、ユーザーが検索操作を行った場合、映像信号検出部６２は、上記の各入力端子について、コンピューター１入力端子７０Ｍ  →  コンピューター２入力端子７０Ｃ  →  ＢＮＣ入力端子７０Ｐ  →  Ｓ−ビデオ入力端子７０Ｉ  →  ビデオ１入力端子７０Ｎ  →  ビデオ２入力端子７０Ｊ  →  ＨＤＭI入力端子７０Ｅの順に映像信号の入力の有無を検出する。なお、これらの入力端子の検出順序は本例に限られない。
【００３８】
また、リモートコントローラー１５０の入力選択ボタン１５５のうち、現在選択されている入力端子と異なる入力端子に対応する入力選択ボタン１５５をユーザーが押下した場合、すなわち、ユーザーが入力端子の切替操作を行った場合、映像信号検出部６２は、当該切替操作により切り替えられた入力端子について、映像信号が入力されているか否かを検出する。
【００３９】
入力端子切替部６３は、外部機器接続部７０の各入力端子のうちの特定の入力端子と入力信号処理部３２とを接続する。また、入力端子切替部６３は、ユーザーが検索操作を行ったことに応じて、入力信号処理部３２と接続する入力端子を、映像信号の入力が検出されなかった入力端子から映像信号が入力されている入力端子へ切り替える。また、入力端子切替部６３は、ユーザーが入力端子の切替操作を行ったことに応じて、入力信号処理部３２と接続する入力端子を選択された入力端子へ切り替える。
【００４０】
入力信号処理部３２は、入力端子から供給される信号が映像信号である場合、当該映像信号をデコードして圧縮符号化前の映像データに変換し、当該映像データをさらにＲＧＢ各色の映像データに変換して映像処理部３８に順次出力する。また、入力信号処理部３２は、入力端子から供給される信号が音声信号である場合、当該音声信号についても同様にデコードを行い、Ｄ／Ａ変換により音声データに変換し、音声処理部３４に順次出力する。また、入力信号処理部３２にはフレームメモリー３３が接続されており、変換した映像データを１フレーム毎にフレームメモリー３３に記憶させるとともに、フレームメモリー３３に記憶された映像データを所定のタイミングで順次に読み出すこともできる。
【００４１】
音声処理部３４は、入力信号処理部３２からの音声データに基づいてスピーカー３５から音声を出力させる。なお、音声処理部３４は、音量増幅回路を有してもよく、この場合、音声データの内容に応じて所定に増幅した音声をスピーカー３５から出力させてもよい。
【００４２】
ＯＳＤ処理部３６は、制御部２０から、制御命令とともに、上記ＯＳＤ情報および現在の選択入力端子がいずれの入力端子であるかを示す情報を受け取る。そして、ＯＳＤ処理部３６は、制御部２０からのＯＳＤ情報および現在選択されている選択入力端子に関する情報などに基づいてＯＳＤ画像の画像データを生成し、映像処理部３８へ供給する。
【００４３】
確認画像出力部３７は、制御部２０から、制御命令とともに、現在の選択入力端子に対する映像信号検出部６２による映像信号の検出結果に関する情報を受け取る。そして、確認画像出力部３７は、制御部２０から受け取った情報が上記選択入力端子に映像信号が入力されていないことを示すものである場合に、当該選択入力端子へ映像信号が入力されていないことを示す確認画像の画像データを生成し、映像処理部３８へ供給する。
【００４４】
また、確認画像出力部３７は、上記検索操作の際に上記の各入力端子のいずれにも映像信号が入力されていなかったことを示す情報を映像信号検出部６２から受け取った場合に、上記確認画像の画像データを生成して映像処理部３８へ供給する。また、確認画像出力部３７は、上記切替操作により切り替えられた入力端子に映像信号が入力されていなかったことを示す情報を映像信号検出部６２から受け取った場合にも、上記確認画像の画像データを生成して映像処理部３８へ供給する。
【００４５】
なお、本例では、確認画像出力部３７は、確認画像の画像データを記憶する確認画像記憶部１３７を内蔵しており、例えば入力端子の種類毎に異なる確認画像の画像データを当該確認画像記憶部１３７に記憶している。そして、確認画像出力部３７は、選択入力端子に映像信号が入力されていない場合に、選択入力端子に対応する確認画像の画像データを映像処理部３８へ供給する。なお、確認画像記憶部１３７は、本例に替えて、確認画像出力部３７とは別個の記憶装置として設けられてもよい。
【００４６】
映像処理部３８は、入力信号処理部３２からのＲＧＢ各色の映像データに、ＯＳＤ処理部３６からのＯＳＤ画像の画像データを合成し、液晶ライトバルブ駆動部８４へ供給する。ここで、映像処理部３８は、入力信号処理部３２からの映像データに対してγ補正処理、台形補正処理、解像度変換処理などの各種の画像処理を行ってもよい。また、映像処理部３８は、上記選択入力端子に映像信号が入力されていない場合は、確認画像出力部３７からの確認画像の画像データを液晶ライトバルブ駆動部８４へ供給する。
【００４７】
操作信号処理部４３は、ユーザーによる操作パネル５０のボタン操作に応じて操作パネル５０から入力される操作信号を受け取り、制御部２０に出力する。また、操作信号処理部４３は、ユーザーによるリモートコントローラー１５０のボタン操作に応じて送信された操作信号を受信部５５を介して受け取り、制御部２０に出力する。
【００４８】
ランプ駆動部８０は、制御部２０からの制御命令に応じて、ランプ８１を点灯又は消灯させる。このランプ駆動部８０は、例えばランプ８１が高圧放電灯の場合には、始動電圧を印加する点灯回路や、適正なランプ電流を供給する安定器などにより構成される。
【００４９】
ランプ８１は、プロジェクター１０の光源であり、ランプ駆動部８０から電力の供給を受けて発光する。本例では、ランプ８１には、高圧水銀ランプやメタルハライドランプおよびハロゲンランプなどの高輝度で発光する放電式ランプが用いられている。
【００５０】
液晶ライトバルブ駆動部８４は、映像処理部３８からのＲＧＢの映像信号に応じて、液晶ライトバルブ８２へ駆動信号を供給する。液晶ライトバルブ８２は、ＲＧＢ各色に対応して設けられており、それぞれの液晶ライトバルブ８２は、マトリクス状に形成された複数の画素を有し、液晶ライトバルブ駆動部８４からの駆動信号に応じて各画素の透過率が調整される。投射光学系８３は、クロスダイクロイックプリズムなどで構成される合成光学系、入射光の焦点の変更が可能なフォーカス機構、および投射光の拡大率を変更可能なズーム機構を有する。
【００５１】
ランプ８１からの光は、色光分離光学系（不図示）によってＲ（赤）、Ｇ（緑）、Ｂ（青）の各色の光成分に分離されて液晶ライトバルブ８２へ入射する。そして、液晶ライトバルブ８２へ入射したＲＧＢの各色光は、液晶ライトバルブ８２を透過する際に画素単位で強度変調され、各色の映像光として投射光学系８３に入射する。そして、投射光学系８３に入射した各色の映像光は、投射光学系８３の合成光学系により合成されて投射レンズ８５によってスクリーンＳＣ上に拡大投射される。また、投射レンズ８５からの投射光の焦点および拡大率は、投射光学系８３のフォーカス機構およびズーム機構によって必要に応じて変更することができる。
【００５２】
なお、本例におけるランプ駆動部８０、ランプ８１、液晶ライトバルブ８２、投射光学系８３、液晶ライトバルブ駆動部８４、投射レンズ８５は、本発明における表示部の一例である。
【００５３】
図５は、プロジェクター１０における入力端子の選択動作に関する動作フローの一例を示す。本フローでは、まず、プロジェクター１０に対して起動操作、入力端子の検索操作、および入力端子の切替操作のいずれかの操作が行われると（ステップＳ１００）、当該操作が入力端子の検索操作である場合（ステップＳ１０２：ＹＥＳ）、映像信号検出部６２により、コンピューター１入力端子７０Ｍ、コンピューター２入力端子７０Ｃ、ＢＮＣ入力端子７０Ｐ、Ｓ−ビデオ入力端子７０Ｉ、ビデオ１入力端子７０Ｎ、ビデオ２入力端子７０Ｊ、およびＨＤＭI入力端子７０Ｅの各入力端子について映像信号の入力の有無が順次検出される（ステップＳ１０５）。
【００５４】
一方、プロジェクター１０に対して行われた操作がプロジェクター１０を起動させる起動操作および起動状態における入力端子の切替操作のいずれかの操作である場合（ステップＳ１０２：ＮＯ）、当該操作が起動操作であれば、デフォルト設定の入力端子または以前の起動時に選択されている入力端子について、映像信号検出部６２により映像信号が入力されているか否かが検出される（ステップＳ１１５）。また、上記操作が入力端子の切替操作の場合は、当該切替操作により切り替えられた入力端子について、映像信号検出部６２により映像信号が入力されているか否かが検出される（ステップＳ１１５）。
【００５５】
そして、上記ステップＳ１０５において、映像信号が入力されている入力端子が検出された場合（ステップＳ１０５：ＹＥＳ）、当該入力端子に入力されている映像信号に応じた映像がスクリーンに投射される（ステップＳ１１０）。また、上記ステップＳ１１５において、選択されている入力端子または切り替えられた入力端子に映像信号が入力されていることが検出された場合（ステップＳ１１５：ＹＥＳ）は、当該入力端子に入力されている映像信号に応じた映像がスクリーンに投射される（ステップＳ１２０）。
【００５６】
一方、上記ステップＳ１０５において、いずれの入力端子にも映像信号が入力していなかった場合（ステップＳ１０５：ＮＯ）には、確認画像出力部３７において、いずれの入力端子にも映像信号が入力されていないことを示すメッセージ（例えば「信号が検出できません  ケーブルは正しく接続されていますか？」）を含む確認画像の画像データが生成され、当該確認画像がスクリーンに投射される（ステップＳ１３０）。
【００５７】
また、上記ステップＳ１１５において、選択されている入力端子または切り替えられた入力端子に映像信号が入力されていない場合（ステップＳ１１５：ＮＯ）、当該入力端子が例えばコンピューター２入力端子７０Ｃおよび音声入力端子７０Ｄである場合には、確認画像出力部３７において図６に示すような確認画像の画像データが生成され、当該確認画像がスクリーンに投射される（ステップＳ１３０）。
【００５８】
この確認画像は、図６に示すように、コンピューター２入力端子７０Ｃに映像信号が入力されていないことを示す「信号が検出できません」のメッセージとともに、ユーザーがコンピューター２入力端子７０Ｃおよび音声入力端子７０Ｄへのケーブルの接続を忘れていないか、あるいは、コンピューター２入力端子７０Ｃおよび音声入力端子７０Ｄ以外の端子に誤ってケーブルを接続していないかを確認するためのメッセージおよび画像が含まれている。
【００５９】
すなわち、図６に示すように、コンピューター２入力端子７０Ｃおよび音声入力端子７０Ｄへのケーブルの接続を確認する「ケーブルは正しく接続されていますか？」とのメッセージとともに、外部機器接続部７０におけるコンピューター２入力端子７０Ｃおよび音声入力端子７０Ｄ近傍の画像（図６中「Ｘ」を付して示す画像）およびコンピューター２入力端子７０Ｃおよび音声出力端子７０Ｂの各入力端子へ接続されるべきケーブルの端子形状を示す画像（図６中「Ｙ」を付して示す画像）が確認画像として表示される。
【００６０】
なお、確認画像として表示される上記入力端子の画像および上記ケーブルの端子形状を示す画像は、実写の画像であってよいが、アニメーション画像や少なくとも一部がデザイン化された画像であってもよい。
【００６１】
そして、確認画像が投射されている状態で、例えば現在選択されている入力端子へユーザーがケーブルを接続したことにより当該入力端子への映像信号の入力が映像信号検出部６２により検出された場合（ステップＳ１３５：ＹＥＳ）、入力される映像信号に応じた映像が投射される（ステップＳ１２０）。一方、現在選択されている入力端子への映像信号の入力が検出されない場合（ステップＳ１３５：ＮＯ）には、引き続き確認画像が投射される。
【００６２】
一方、上記ステップＳ１１０およびステップＳ１２０により映像がスクリーンに投射されている状態において、選択されている入力端子への映像信号の入力が停止したことが映像信号検出部６２により検出された場合（ステップＳ１４０：ＹＥＳ）、図６と同様の確認画像、すなわち、映像信号が入力されていたる入力端子へのケーブルの接続を促すメッセージとともに、外部機器接続部７０における当該入力端子近傍の画像および当該入力端子へ接続されるべきケーブルの端子形状を示す画像を含む確認画像の画像データが確認画像出力部３７で生成され、当該確認画像がスクリーンに投射される（ステップＳ１４５）。
【００６３】
以上のように、本実施形態に係るプロジェクター１０は、ユーザーが選択した映像入力端子（選択入力端子）へ映像信号が入力されていない場合に、選択入力端子へのケーブルの接続を確認するメッセージとともに、外部機器接続部７０における選択入力端子近傍の画像および選択入力端子へ接続されるべきケーブルの端子形状を示す画像を含む確認画像が表示される。
【００６４】
したがって、ユーザーは、確認画像から選択入力端子へ映像信号が入力されていない原因が当該選択入力端子へケーブルが正しく接続されていないことによるものかどうかを容易に確認することができる。また、ユーザーは、現在選択されている選択入力端子の位置および端子形状、並びに接続すべきケーブルの端子形状を確認画像から容易に確認することができる。ゆえに、ユーザーは、プロジェクター１０の外部機器接続部７０の接続状態と確認画像とを見比べながら、選択入力端子に対してケーブルが正しく接続されているかを容易に確認することができる。
【００６５】
また、図６に示すように、選択入力端子近傍の画像においては、選択入力端子（コンピューター２入力端子７０Ｃおよび音声入力端子７０Ｄ）が枠で囲まれて強調表示されているので、外部機器接続部７０における選択入力端子の位置をユーザーが容易に見つけることができるので、接続の確認がし易い。なお、選択入力端子の強調表示の方法は本例に限られず、例えば選択入力端子近傍をハイライト表示にする、周囲と色を変えて表示する、背景色を変える、あるいはブリンキング表示にする、などの方法で強調表示してもよい。
【００６６】
（変形例）
上述した実施形態では、光源からの光を光変調部である液晶ライトバルブによって変調し投射する液晶３板式プロジェクターを例示したが、本発明はその他の方式を採用するプロジェクターにも適用することもできる。具体的には、ＤＭＤ（Digital Micromirror Device）を用いた投射方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投射する方式であり、本発明はこのような方式のプロジェクターにも適用することができる。
【００６７】
また、上述した実施形態では、光源として放電式ランプを用いて投射するプロジェクターを例示したが、本発明は光源としてＬＥＤ光源やレーザー光源などを用いて投射するプロジェクターにも適用することができる。
【００６８】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００６９】
１０…プロジェクター、２０…制御部、３２…入力信号処理部、３３…フレームメモリー、３４…音声処理部、３５…スピーカー、３６…ＯＳＤ処理部、３７…確認画像出力部、３８…映像処理部、４３…操作信号処理部、５０…操作パネル、５５…受信部、７０…外部機器接続部、８０…ランプ駆動部、８１…ランプ、８２…液晶ライトバルブ、８３…投射光学系、８４…液晶ライトバルブ駆動部、８５…投射レンズ、９０…状態インジケーター、１３７…確認画像記憶部、１５０…リモートコントローラー、１５７…送信部、１５８…ハウジング
【図１】
2011128257.tif 000003
【図２】
2011128257.tif 000004
【図３】
2011128257.tif 000005
【図４】
2011128257.tif 000006
【図５】
2011128257.tif 000007
【図６】
2011128257.tif 000008